(57)【要約】      （修正有）【課題】一般河川用水路等において、止水板を何段かに重ね合わせた水路で用いる、作業性の優れた角落し用止水壁を提供する。【解決手段】角落し用止水壁は、水路Ｗの左側壁Ｌ及び右側壁に平面視コ字状の縦溝Ｓに複数段に上下に重ね合わせて嵌合する止水板１からなり、縦溝Ｓに最下側の止水板１を嵌合し、締付クサビの縮小時の状態から、締付ボルト３を回転させて締付ボルト３を伸長させ締付クサビを矩形状縦溝Ｓ方向に移動させる。すると、締付クサビの拡張時の状態になり、締付ボルト３の締付により締付クサビの傾斜面１２が下流側縦溝Ｓに押されて止水板１を上流側縦溝Ｓ側へ移動させる。これにより、止水板１の上流側表面に設けた角落し用パッキン５が上流側縦溝Ｓに押し付けられて密着し、止水板１の密着性を確保する。【選択図】図４
0003229341.tif 000002
【実用新案登録請求の範囲】
【請求項１】
水路の左側壁及び右側壁に平面視コ字状の縦溝に複数段に上下に重ね合わせて嵌合する止水板からなり、該止水板は下流側表面にＬ字取付板を固定し、該Ｌ字取付板に締付ボルトを貫通させて前記締付ボルトの先端に締付クサビを固定して前記締付クサビを前記縦溝方向に臨ませ、また、前記止水板の上流側表面の前記縦溝に対向する縦辺に沿って角落し用パッキンを設けることを特徴とする角落し用止水壁。
【請求項２】
前記Ｌ字取付板は、前記止水板の四隅の下流側表面に立上り部を配置し、該立上り部の中央にボルト嵌合孔を形成し、該ボルト嵌合孔周囲にナットを溶接固定し、これにより締付ボルトを回転させることにより前記ナットを介して前記締付ボルトが前進又は後退することを特徴とする請求項１記載の角落し用止水壁。
【請求項３】
前記締付クサビは、下流側表面側を平坦とし、下流側縦溝側に傾斜面を設けた駒からなり、前記締付ボルトの先端に嵌合する嵌合筒と該嵌合筒を固定する固定板を前記駒にビスにより固定することを特徴とする請求項１記載の角落し用止水壁。
【考案の詳細な説明】
【技術分野】
【０００１】
本考案は、一般河川用水路等において、止水板を何段かに重ね合わせて水路の流水を止める角落し用止水壁に関するものである。
【背景技術】
【０００２】
従来、下水路や上水路、灌漑用水路等において、例えば、ゲートの交換或いは新規な据付けの施工を行う場合、通常、水路全体の水を止めないで施工を行う不断水工法が用いられる。この不断水工法としては、止水壁として角落しを用いる工法が一般的であり、厚みや補強部材等によることなく耐水圧性を確保でき、さらに水路の側壁への取り付け作業が簡単な、水路を止水する角落し構造が知られている（特許文献１を参照）。
【０００３】
この水路を止水する角落し構造は、水路の両側壁には上流側溝面及び下流側溝面を有する平面視矩形状の縦溝部が形成され、上流側溝面及び下流側溝面のうちの一方の溝面と第１角落しとの間に両者の間隔を調整する間隔調整部材が設けられ、前記間隔調整部材により第１角落しが上流側溝面及び下流側溝面のうちの他方の溝面に押し付けられるように固定されるものである。前記間隔調整部材は、ボルト頭が一方の溝面に当接するように第１角落しに螺合された調整ボルトである。そして、作業者は、スパナ等の工具を用いて間隔調整部材１３のボルト頭を弛めて下流側溝面１１に当接しナット１５を締め付けることにより、第１角落し２を、止水調整板１４を挟んで上流側溝面１０に押し付けて固定する。
【０００４】
しかしながら、上記の水路を止水する角落し構造では、平面視矩形状の縦溝部に間隔調整部材、すなわち調整ボルトを縦溝部内に挿入しなければならず、縦溝部内での締め付け作業が面倒である等の不都合があった。
本考案は、前記の欠点を改良し、水路の両側壁の縦溝部内における止水板の締め付け作業をなくした作業性の優れた角落し用止水壁である。
【先行技術文献】
【特許文献】
【０００５】
【特許文献１】特許第６１２７３０６号公報
【考案の概要】
【考案が解決しようとする課題】
【０００６】
本考案は、一般河川用水路等において、止水板を何段かに重ね合わせた水路で、両側壁の縦溝部内における調整ボルトの締め付け作業をなくした作業性の優れた角落し用止水壁を提供することを目的とする。
【課題を解決するための手段】
【０００７】
本考案の角落し用止水壁は、水路の左側壁及び右側壁に平面視コ字状の縦溝に複数段に上下に重ね合わせて嵌合する止水板からなり、該止水板は下流側表面にＬ字取付板を固定し、該Ｌ字取付板に締付ボルトを貫通させて前記締付ボルトの先端に締付クサビを固定して前記締付クサビを前記縦溝方向に臨ませ、また、前記止水板の上流側表面の前記縦溝に対向する縦辺に沿って角落し用パッキンを設ける。
前記Ｌ字取付板は、前記止水板の四隅の下流側表面に立上り部を配置し、該立上り部の中央にボルト嵌合孔を形成し、該ボルト嵌合孔周囲にナットを溶接固定し、これにより締付ボルトを回転させることにより前記ナットを介して前記締付ボルトが前進又は後退する。
前記締付クサビは、下流側表面側を平坦とし、下流側縦溝側に傾斜面を設けた駒からなり、前記締付ボルトの先端に嵌合する嵌合筒と該嵌合筒を固定する固定板を前記駒にビスにより固定する。
【考案の効果】
【０００８】
本考案の角落し用止水壁は、止水板の下流側表面に締付ボルトと締付クサビを設けたことにより、水路の両側壁の縦溝内における調整ボルトの締め付け作業をなくしたので、作業性の優れたものとなっている。
【図面の簡単な説明】
【０００９】
【図１】本考案の角落し用止水壁の下流側から見た正面図である。
【図２】図１のＡ−Ａ矢視側面図である。
【図３】止水板の締付クサビ縮小時の部分拡大平面図である。
【図４】止水板の締付クサビ拡張時の部分拡大平面図である。
【考案を実施するための形態】
【００１０】
本考案の角落し用止水壁の一実施例を添付図面に基づいて、以下に説明する。
図１の正面図に示すように、本考案の角落し用止水壁は、水路Ｗの左側壁Ｌ及び右側壁Ｒに平面視コ字状の縦溝Ｓに複数段に上下に重ね合わせて嵌合する止水板１からなり、該止水板１は下流側表面にＬ字取付板２を固定し、該Ｌ字取付板２に締付ボルト３を貫通させて前記締付ボルト３の先端に締付クサビ４を固定して前記締付クサビ４を前記縦溝Ｓ方向に臨ませ、また、前記止水板１の上流側表面の前記縦溝Ｓに対向する縦辺に沿って角落し用パッキン５を設ける。
【００１１】
前記止水板１は、鋼材厚板の矩形状をなし、上下端を折り曲げてフランジ６を形成し、該フランジ６にボルト嵌合孔（図示省略）を形成して複数段に上下に重ね合わせた際に、上下の各止水板１のフランジ６，６間にパッキン７を介在させてボルト８を貫通させてナット９で締め付けて両止水板１，１を締め付け固定する。
【００１２】
前記Ｌ字取付板２は、前記止水板１の四隅の下流側表面に立上り部１０を配置し、該立上り部１０の中央にボルト嵌合孔（図示省略）を形成し、該ボルト嵌合孔（図示省略）周囲にナット１１を溶接固定する。これにより締付ボルト３を回転させることにより前記ナット１１を介して前記締付ボルト３が前進又は後退する。
前記締付クサビ４は、下流側表面側を平坦とし、下流側縦溝側に傾斜面１２を設けた駒１３からなり、前記締付ボルト３の先端に嵌合する嵌合筒１４と該嵌合筒１４を固定する固定板１５を前記駒１３にビス１６により４個所を固定する。
前記角落し用パッキン５は、木製厚板や樹脂製厚板からなり、前記止水板１の上流側表面の縦溝Ｓに対向する縦辺に沿って設ける。
【００１３】
次に、本考案の角落し用止水壁の操作動作を添付図面に基づいて、以下に説明する。
図１に示すように、水路Ｗの左側壁Ｌ及び右側壁Ｒに平面視コ字状の縦溝Ｓに最下側の止水板１を嵌合し、図３に示す締付クサビ４の縮小時の状態から、締付ボルト３を回転させて締付ボルト３を伸長させ締付クサビ４を矩形状縦溝Ｓ方向に移動させる。
すると、図４に示す締付クサビ４の拡張時の状態になり、締付ボルト３の締付により締付クサビ４の傾斜面１２が下流側縦溝Ｓに押されて止水板１を上流側縦溝Ｓ側へ移動させる。
【００１４】
これにより、前記止水板１の上流側表面に設けた角落し用パッキン５が上流側縦溝Ｓに押し付けられて密着し、前記止水板１の密着性を確保する。なお、前記締付クサビ４は止水板１の４個所にあり、一方に偏らないように調節しながら締付を行うようにする。
最下段の止水板１の据付けが終わったなら、次段の止水板１を最下段の止水板１に重ね合わせ、フランジ６のボルト嵌合孔（図示省略）にボルト８を通してナット９で締め付けてパッキン７により水密を保つ。そして、同様に、締付ボルト３と締付クサビ４により止水板１の密着性を保ち、複数段に上下に重ね合わせて止水板１を嵌合する。
このように、本考案の角落し用止水壁は、前記止水板１の下流側表面に締付ボルト３と締付クサビ４を設けたことにより、水路Ｗの両側壁Ｌ，Ｒの縦溝Ｓ内における調整ボルトの締め付け作業をなくしたので、作業性の優れたものとなっている。
【符号の説明】
【００１５】
１  止水板
２  Ｌ字取付板
３  締付ボルト
４  締付クサビ
５  角落し用パッキン
６  フランジ
７  パッキン
８  ボルト
９  ナット
１０  立上り部
１１  ナット
１２  傾斜面
１３  駒
１４  嵌合筒
１５  固定板
１６  ビス
W  水路
L  左側壁
R  右側壁
S  縦溝
【図１】
0003229341.tif 000003
【図２】
0003229341.tif 000004
【図３】
0003229341.tif 000005
【図４】
0003229341.tif 000006